(57)【要約】【課題】使用者の求める使用感や仕上がりを実現可能なように、種々の立体形状となし得る化粧料用アプリケーターを提供すること。【解決手段】本発明に係る化粧料用アプリケーターは、化粧料を塗布する塗布部と、塗布部を支持する軸とを有し、該塗布部は、該軸の先端部側に連接された端部と、該軸の手元側に連接された端部と、両方の端部の中間に位置する中間部とを有する短冊状部材を備え、該短冊状部材の両方の端部の中間部が該軸における長手方向に直交する断面の中心から外方に向けて凸になるように湾曲している。【選択図】図１
2014087642.tif 000002
【特許請求の範囲】
【請求項１】
化粧料を塗布する塗布部と、塗布部を支持する軸とを有し、
該塗布部は、該軸の先端部側に連接された端部と、該軸の手元側に連接された端部と、両方の端部の中間に位置する中間部とを有する短冊状部材を備え、
該短冊状部材の両方の端部の中間部が該軸における長手方向に直交する断面の中心から外方に向けて凸になるように湾曲した化粧料用アプリケーター。
【請求項２】
前記塗布部は、複数の前記短冊状部材を有しており、
前記軸と前記短冊状部材との間、及び前記短冊状部材同士の間には、隙間が形成された請求項１に記載の化粧料用アプリケーター。
【請求項３】
前記短冊状部材において、前記軸の先端部側に連接された端部と、前記軸の手元側に連接された端部との相互位置が、前記軸の長手方向投影面において異なる位置にあり、前記塗布部が前記軸を中心として捻れている請求項１又は２に記載の化粧料用アプリケーター。
【請求項４】
前記軸の先端部に取り付けられる先端側固定部材と、該先端側固定部材に連接されており可撓性を有する前記短冊状部材とを有する構成部材を備え、
該先端側固定部材を前記軸の先端部に嵌合すると共に、前記短冊状部材を該先端側固定部材側の端部から手元側に屈曲させて軸に沿わせ、該短冊状部材の手元側の端部を軸の手元側に束ねることにより塗布部を形成してなる請求項１〜３のいずれかに記載の化粧料用アプリケーター。
【請求項５】
前記短冊状部材の前記先端側固定部材側の端部及び手元側の端部が各々軸に対し不動に固定された請求項４に記載の化粧料用アプリケーター。
【請求項６】
前記短冊状部材の先端側固定部材側の端部と手元側の端部との相互位置を、軸の長手方向及び前記軸の長手方向投影面において異なる位置に変更する機構を有する請求項４に記載の化粧料用アプリケーター。
【請求項７】
前記軸の手元側に手元側固定部を設け、前記軸を該手元側固定部に対して、前記軸の長手方向及び周方向に摺動する機構を有し、前記手元側の端部が該手元側固定部材に対し不動に固定された請求項６に記載の化粧料用アプリケーター。
【請求項８】
前記短冊状部材の先端側固定部材側の端部と手元側の端部との相互位置を変更した状態で停止させる機構を有する請求項６又は７に記載の化粧料用アプリケーター。
【請求項９】
前記軸を形成する素材が前記構成部材を形成する素材よりも硬い素材で成形された請求項４〜８のいずれか１項に記載の化粧料用アプリケーター。
【請求項１０】
前記短冊状部材が、外側の表面及び／又は側面に多数の突起を有する請求項１〜９のいずれか１項に記載の化粧料用アプリケーター。
【請求項１１】
前記短冊状部材の端部の厚みが前記短冊状部材の中間部の厚みよりも薄く形成された請求項１〜１０のいずれか１項に記載の化粧料用アプリケーター。
【請求項１２】
前記短冊状部材の端部の幅方向の長さが前記短冊状部材の中間部の幅方向の長さに比べて短く形成された請求項１〜１１のいずれか１項に記載の化粧料用アプリケーター。
【請求項１３】
軸と塗布部とを有する化粧料用アプリケーターの製造方法であって、
該軸の先端部に取り付けられる先端側固定部材と、該先端側固定部材に連接されており該先端側固定部材を中心として周方向に延出する短冊状部材とからなり可撓性を有する構成部材を一体成形し、
成形して得られた該構成部材の先端側固定部材を前記軸の先端部に嵌合した後、該短冊状部材の該先端側固定部材に連接された端部を屈曲させて該短冊状部材を該軸に添わせ、該短冊状部材の手元側の端部を該軸の手元側に取り付けることにより、該短冊状部材の両方の端部の中間に位置する中間部が該軸における長手方向に直交する断面の中心から外方に向けて凸になるように湾曲した塗布部を形成する、化粧料用アプリケーターの製造方法。
【請求項１４】
前記短冊状部材の前記先端側固定部材に連接された端部と手元側の端部との相互位置を変更して塗布部を所定の立体形状とした後、前記短冊状部材の先端側固定部材側の端部と手元側の端部とを前記軸に対し不動に固定する、請求項１３に記載の化粧料用アプリケーターの製造方法。
【請求項１５】
前記軸の手元側に手元側固定部を設け、前記軸を該手元側固定部に対して、前記軸の長手方向及び周方向に摺動し得るものとすると共に、前記短冊状部材の手元側の端部を該手元側固定部材に対し不動に固定することにより、前記短冊状部材の先端側固定部材に連接された端部と手元側の端部との相互位置を軸の長手方向及び軸の周方向に変更可能とした、請求項１３に記載の化粧料用アプリケーターの製造方法。
【請求項１６】
請求項１〜１２のいずれか１項に記載された化粧料用アプリケーターを使用して、化粧料を塗布する塗布方法。
【請求項１７】
化粧料を収容した容器に装着された化粧料用アプリケーターであって、該化粧料用アプリケーターは、該化粧料を塗布する塗布部と、該塗布部を支持する軸とを有し、
該塗布部は、前記軸の先端部に取り付けられる先端側固定部材と、前記軸の先端部に取り付けられる先端側固定部材に連接された端部及び該軸の手元側に連接された端部を有し可撓性を有する短冊状部材とを有する構成部材を備え、
該塗布部は、該構成部材の該先端側固定部材を前記軸の先端部に嵌合すると共に、前記短冊状部材の手元側の端部を軸の手元側に連接することにより形成されており、
該短冊状部材において、前記軸の先端部側に連接された端部と、前記軸の手元側に連接された端部との相互位置を前記軸の長手方向に変更することにより、該短冊状部材の前記両方の端部の中間に位置する中間部が該軸における長手方向に直交する断面の中心から外方に向けて凸になるように該短冊状部材が湾曲された化粧料用アプリケーターを用いて該化粧料を塗布する塗布方法。
【請求項１８】
化粧料を収容した容器に装着された化粧料用アプリケーターであって、該化粧料用アプリケーターは、該化粧料を塗布する塗布部と、該塗布部を支持する軸とを有し、
該塗布部は、前記軸の先端部に取り付けられる先端側固定部材と、前記軸の先端部に取り付けられる先端側固定部材に連接された端部及び該軸の手元側に取り付けられた端部を有し可撓性を有する短冊状部材とを有する構成部材を備え、
該塗布部は、該構成部材の該先端側固定部材を前記軸の先端部に嵌合すると共に、前記短冊状部材の手元側の端部を軸の手元側に連接することにより形成されており、
該短冊状部材において、前記軸の先端部側に連接された端部と、前記軸の手元側に連接された端部との相互位置を前記軸の長手方向投影面において異なる位置になるように変更することにより、前記塗布部が前記軸を中心として捻れた形状を有する化粧料用アプリケーターを用いて該化粧料を塗布する塗布方法。
【請求項１９】
化粧料を収容した容器に装着された化粧料用アプリケーターであって、該化粧料用アプリケーターは、該化粧料を塗布する塗布部と、該塗布部を支持する軸とを有し、
該塗布部は、前記軸の先端部に取り付けられる先端側固定部材と、前記軸の先端部に取り付けられる先端側固定部材に連接された端部及び該軸の手元側に取り付けられた端部を有し可撓性を有する短冊状部材とを有する構成部材を備え、
該塗布部は、該構成部材の該先端側固定部材を前記軸の先端部に嵌合すると共に、前記短冊状部材の手元側の端部を軸の手元側に連接することにより形成されており、
前記軸の手元側に手元側固定部を設け、前記軸を該手元側固定部に対して、前記軸の長手方向及び周方向に摺動し得るものとすると共に、前記短冊状部材の手元側の端部を該手元側固定部材に対し不動に固定した化粧料用アプリケーターを用いて化粧料を塗布する塗布方法。
【請求項２０】
化粧料を収容した容器に請求項１〜１２のいずれか１項に記載の化粧料用アプリケーターが装着された化粧用具であって、該化粧料に前記化粧料用アプリケーターの塗布部が浸漬された状態で装着される化粧用具。
【発明の詳細な説明】
【技術分野】
【０００１】
本発明は、化粧料用アプリケーター、その製造方法、化粧用具、及び化粧料の塗布方法に関する。
【背景技術】
【０００２】
マスカラ等の液状の化粧料は、使用者の求める使用感や仕上がりに応じて、適用する化粧料の粘度や性質も多様化している。また、化粧料を塗布するための化粧料用アプリケーターおいても、使用者の求める使用感や仕上がりを実現できるような種々の立体形状を有するものが提案されている。
このような化粧料用アプリケーターのなかには、その形状を使用者が変化させて使用する形のものもあるが、形状変化の許容範囲は小さく、際立った使用感の変化や利便性を感じさせることは難しい。
また、マスカラ等の液状の化粧料を塗布するのに使用する樹脂製の化粧料用アプリケーターとしては、表面に多数の突起を形成した複数のアームを有する樹脂成形品をヒンジで折り曲げ、重ね合わせて軸を形成することにより最終的な形状としたアプリケーターが知られている（特許文献１参照）。樹脂製の化粧料用アプリケーターは、通常、最終的な形状の樹脂成形品を金型から成形して製造することができる。しかし、多種多様な形状の化粧料用アプリケーターを得るには、各々に対応する金型が必要であり、多くの金型部材と金型製作のための工数を要していた。
そこで、多くの金型を使用することなく、簡単な単一の金型で製造した成形物から種々の立体形状に製造し得る化粧料用アプリケーター及びその製造方法が求められている。
【先行技術文献】
【特許文献】
【０００３】
【特許文献１】特表２０１０−５３８７２５号公報
【発明の概要】
【発明が解決しようとする課題】
【０００４】
本発明は、使用者の求める使用感や仕上がりを実現可能なように、種々の立体形状となし得る化粧料用アプリケーター、その製造方法、化粧用具、及び化粧料の塗布方法を提供することを課題とする。
【課題を解決するための手段】
【０００５】
本発明者らは、可撓性の短冊状部材を組み合わせて用いることにより、前記課題を解決した。
すなわち、本発明は、
（１）化粧料を塗布する塗布部と、塗布部を支持する軸とを有し、該塗布部は、該軸の先端部側に連接された端部と、該軸の手元側に連接された端部と、両方の端部の中間に位置する中間部とを有する短冊状部材を備え、該短冊状部材の両方の端部の中間部が該軸における長手方向に直交する断面の中心から外方に向けて凸になるように湾曲した化粧料用アプリケーター、
（２）軸と塗布部とを有する化粧料用アプリケーターの製造方法であって、該軸の先端部に取り付けられる先端側固定部材と、該先端側固定部材に連接されており該先端側固定部材を中心として周方向に延出する短冊状部材とからなり可撓性を有する構成部材を一体成形し、成形して得られた該構成部材の先端側固定部材を前記軸の先端部に嵌合した後、該短冊状部材の該先端側固定部材に連接された端部を屈曲させて該短冊状部材を該軸に添わせ、該短冊状部材の手元側の端部を該軸の手元側に取り付けることにより、該短冊状部材の両方の端部の中間に位置する中間部が該軸における長手方向に直交する断面の中心から外方に向けて凸になるように湾曲した塗布部を形成する、化粧料用アプリケーターの製造方法、
（３）（１）の化粧料用アプリケーターを使用して、化粧料を塗布する塗布方法、
（４）化粧料を収容した容器に装着された化粧料用アプリケーターであって、該化粧料用アプリケーターは、該化粧料を塗布する塗布部と、該塗布部を支持する軸とを有し、該塗布部は、前記軸の先端部に取り付けられる先端側固定部材と、前記軸の先端部に取り付けられる先端側固定部材に連接された端部及び該軸の手元側に連接された端部を有し可撓性を有する短冊状部材とを有する構成部材を備え、該塗布部は、該構成部材の該先端側固定部材を前記軸の先端部に嵌合すると共に、前記短冊状部材の手元側の端部を軸の手元側に連接することにより形成されており、該短冊状部材において、前記軸の先端部側に連接された端部と、前記軸の手元側に連接された端部との相互位置を前記軸の長手方向に変更することにより、該短冊状部材の前記両方の端部の中間に位置する中間部が該軸における長手方向に直交する断面の中心から外方に向けて凸になるように該短冊状部材が湾曲された化粧料用アプリケーターを用いて該化粧料を塗布する塗布方法、
（５）化粧料を収容した容器に装着された化粧料用アプリケーターであって、該化粧料用アプリケーターは、該化粧料を塗布する塗布部と、該塗布部を支持する軸とを有し、該塗布部は、前記軸の先端部に取り付けられる先端側固定部材と、前記軸の先端部に取り付けられる先端側固定部材に連接された端部及び該軸の手元側に取り付けられた端部を有し可撓性を有する短冊状部材とを有する構成部材を備え、該塗布部は、該構成部材の該先端側固定部材を前記軸の先端部に嵌合すると共に、前記短冊状部材の手元側の端部を軸の手元側に連接することにより形成されており、該短冊状部材において、前記軸の先端部側に連接された端部と、前記軸の手元側に連接された端部との相互位置を前記軸の長手方向投影面において異なる位置になるように変更することにより、前記塗布部が前記軸を中心として捻れた形状を有する化粧料用アプリケーターを用いて該化粧料を塗布する塗布方法、
（６）化粧料を収容した容器に装着された化粧料用アプリケーターであって、該化粧料用アプリケーターは、該化粧料を塗布する塗布部と、該塗布部を支持する軸とを有し、該塗布部は、前記軸の先端部に取り付けられる先端側固定部材と、前記軸の先端部に取り付けられる先端側固定部材に連接された端部及び該軸の手元側に取り付けられた端部を有し可撓性を有する短冊状部材とを有する構成部材を備え、該塗布部は、該構成部材の該先端側固定部材を前記軸の先端部に嵌合すると共に、前記短冊状部材の手元側の端部を軸の手元側に連接することにより形成されており、
前記軸の手元側に手元側固定部材を設け、前記軸を該手元側固定部材に対して、前記軸の長手方向及び周方向に摺動し得るものとすると共に、前記短冊状部材の手元側の端部を該手元側固定部材に対し不動に固定した化粧料用アプリケーターを用いて化粧料を塗布する塗布方法、
（７）化粧料を収容した容器に（１）の化粧料用アプリケーターが装着された化粧用具であって、該化粧料に前記化粧料用アプリケーターの塗布部が浸漬された状態で装着される化粧用具、を提供するものである。
【発明の効果】
【０００６】
本発明によれば、使用者の求める使用感や仕上がりを実現可能なように、種々の立体形状となし得る化粧料用アプリケーターを提供できる。
また、本発明によれば、成形の容易な同一形状の構成部材から種々の立体形状の塗布部を形成したことにより、要求される使用感や化粧料の粘度や性質に最適な立体形状の塗布部を設定することができる。
また、本発明の化粧料用アプリケーターは、使用者側が使用時に操作して短冊状部材で形成される塗布部の立体形状を変化させ得る態様とすることにより、１つのアプリケーターで複数の感触、使用感を得ることができ、また、塗布すべき身体部位の大きさに応じた太さの塗布部として、使い勝手を向上させることができる。
更にまた、本発明の製造方法によれば、簡単な構造の同一の金型から成形した構成部材を使用して、種々の立体形状の塗布部を有する化粧料用アプリケーターを製造できるので、金型部材の削減及び金型製造工程の軽減を図ることができる。
【図面の簡単な説明】
【０００７】
【図１】本発明の化粧料用アプリケーターの一例を示す側面図である。
【図２】本発明の化粧料用アプリケーターの製造方法の一例を示す説明図である。
【図３】短冊状部材の固着の方法の例を示す説明図である。
【図４】本発明の化粧料用アプリケーターの製造方法の他の例を示す説明図である。
【図５】本発明の化粧料用アプリケーターの１態様の操作方法の一例を示す説明図である。
【図６】短冊状部材の側面に突起を設けた例を示す（Ａ）斜視図及び（Ｂ）側面図である。
【図７】図７（Ａ）は、本発明の化粧料用アプリケーターの１態様として示す短冊状部材１１１の側面図であり、図７（Ｂ）は、短冊状部材１１１の平面図である。
【図８】図８（Ａ）は、本発明の化粧料用アプリケーターの１態様として示す短冊状部材２１１の突起が形成された面からみた平面図であり、図８（Ｂ）は、短冊状部材２１１の側面図である。図８（Ｃ）は、短冊状部材２１１が湾曲した状態を説明する図である。
【図９】図９（Ａ）は、本発明の化粧料用アプリケーターの１態様として示す短冊状部材３１１の突起が形成された面からみた平面図であり、図９（Ｂ）は、短冊状部材３１１の中間部３１１ｃにおける断面図である。
【図１０】図１０（Ａ）は、本発明の化粧料用アプリケーターの１態様として示す短冊状部材４１１の軸側の面（裏面４１１ｒという）からみた平面図であり、図１０（Ｂ）は、短冊状部材４１１の中間部４１１ｃにおける断面図であり、図１０（Ｃ）は、短冊状部材４１１の裏面に形成される溝の他の態様を説明する裏面４１１ｒからみた平面図である。
【図１１】図１１（Ａ）〜（Ｃ）は、本発明の化粧料用アプリケーターの１態様として示す短冊状部材５１１と、この短冊状部材５１１を備える化粧料用アプリケーターとが、扱き部材Ｃによって扱かれている様子を説明する軸方向断面図である。
【図１２】図１２は、本発明の化粧料用アプリケーターの１態様として示す短冊状部材６１１の一部分を表した外観斜視図である。
【図１３】図１３（Ａ），（Ｂ）は、短冊状部材１１を軸２ａに取り付けるための先端側固定部材の１態様を説明する断面図である。
【図１４】図１４は、先端側固定部材に連接される短冊状部材１１の端部の形状を説明する図である。
【図１５】図１５は、短冊状部材を軸に取り付けるリング３０の構造を説明する平面図である。
【図１６】図１６は、化粧料用アプリケーターの塗布部１のＡＡ断面，ＢＢ断面，ＣＣ断面，ＤＤ断面，及びＥＥ断面を説明する図である。
【図１７】図１７は、軸２ａと短冊状部材１１の長さとの関係を説明する図である。
【図１８】図１８（Ａ）は、塗布部のＬ２／Ｌ１が０．６に近い場合における塗布部の捻れを説明する模式図であり、図１８（Ｂ）は、塗布部のＬ２／Ｌ１が１．０に近い場合における塗布部の捻れを説明する模式図である。
【発明を実施するための形態】
【０００８】
以下に、本発明の実施の形態について、添付した図面を参照して詳しく説明するが、本発明はこの実施の形態により限定されるものではない。
［化粧料用アプリケーター］
本発明の化粧料用アプリケーターは、化粧料を塗布する塗布部と、塗布部を支持する軸とを有し、該塗布部は、該軸の先端部側に連接された端部と、該軸の手元側に連接された端部と、両方の端部の中間に位置する中間部とを有する短冊状部材を備え、該短冊状部材の両方の端部の中間部が該軸における長手方向に直交する断面の中心から外方に向けて凸になるように湾曲している。
本発明の化粧料用アプリケーターは、塗布部及び軸が一体に成型されていてもよいし、別々の部材として成型された塗布部と軸とを組み合わせて構成されるものであってもよい。同様に、塗布部及び軸も複数の部材から構成されていてもよい。
以下、本発明の実施形態に係る化粧料用アプリケーターは、図１（Ａ）〜（Ｄ）として示すような立体形状の塗布部１を有する。
塗布部１は、複数の短冊状部材１１を有しており、軸２ａと短冊状部材１１との間、及び短冊状部材同士の間には、隙間が形成されている。
本実施形態に係る化粧料用アプリケーターは、別々の部材として成型された塗布部と軸とを組み合わせて構成される。すなわち、図２（Ａ）（表側からの図）及び（Ｂ）（裏側からの図）で示すような形状であって塗布部を形成する構成部材Ｘと、軸２ａと手元側固定部材２ｃと把持部３とを有し、図２（Ｃ）に示す如く方法で賦形して得られるものである。
構成部材Ｘは、軸２ａの先端に取り付けられる先端側固定部材２ｂと、該先端側固定部材２ｂに連接して先端側固定部材２ｂを中心として周方向に延出する可撓性を有する短冊状部材１１とからなっている。短冊状部材１１の表面には多数の突起１１ｄが設けられており、先端側固定部材２ｂの裏面側には、軸２ａの先端部と嵌合する為の挿入穴２ｂａが設けられている。
本発明の化粧料用アプリケーターは、図２（Ｃ）に示すように、構成部材Ｘの先端側固定部材２ｂの挿入穴２ｂａに軸２ａの先端部を嵌合した後、点線の矢印の方向に、短冊状部材１１の端部１１ｂが軸２ａに接するように、端部１１ｂが軸２ａの手元側に取り付けられて形成されたものである。
尚、図２の例では、軸２ａの手元側は円筒状の手元側固定部材２ｃに取り付けられ、手元側固定部材２ｃは把持部３に取り付けられている。
【０００９】
＜実施態様１＞
実施態様１は、上記の如き化粧料用アプリケーターにおいて、短冊状部材１１の端部１１ａと端部１１ｂの相互位置を変更して所定の立体形状を形成した後に、各々軸２ａに対し不動に固定することを製造時に行うことにより、塗布部１を図１（Ａ）〜（Ｄ）の如き種々の立体形状に保持したものである。なお、以下では、不動に固定することを「固着」ということがある。
実施態様１に示す化粧料用アプリケーターは、軸２ａの先端部に取り付けられる先端側固定部材２ｂと、先端側固定部材２ｂに連接されており可撓性を有する短冊状部材１１とを有する構成部材Ｘを備える。構成部材Ｘの詳細は、図２を用いて後段において説明する。
実施態様１に示す化粧料用アプリケーターは、先端側固定部材２ｂを軸２ａの先端部に嵌合すると共に、短冊状部材１１を先端側固定部材２ｂ側の端部から手元側に屈曲させて軸２ａに沿わせ、短冊状部材１１の手元側の端部を軸２ａの手元側に束ねることにより塗布部１が形成されている。
すなわち、図１（Ａ）は、短冊状部材１１の端部１１ｂが軸２ａに接するように、短冊状部材１１を屈曲させて、端部１１ｂを軸２ａの手元側に束ねた状態を表した図である。図１では、軸２ａは、短冊状部材１１に隠れていて、描かれていない。
図１（Ｂ）〜（Ｄ）は、図１（Ａ）に示す状態から端部１１ａと端部１１ｂとの相互位置を、軸２ａの長手方向及び軸２ａの長手方向に直交する断面の外縁に沿って変更した形である。軸２ａが円柱である本実施形態では、これを周方向という。但し、図１（Ｂ）では、端部１１ｂは軸２ａに固着されていない。
例えば、端部１１ａと端部１１ｂとの相互位置を軸２ａの長手方向に沿って互いに近づける方向に変更することにより、図１（Ｂ）に示すような、短冊状部材１１の中間部１１ｃが軸２ａの長手方向に直交する断面の中心から外方に向けて凸になるような円弧形状とすることができる。
また、各々の短冊状部材１１の端部１１ａと端部１１ｂとの相互位置を軸２ａの周方向に沿って変更する機構により、図１（Ｃ）及び（Ｄ）に示すように、軸２ａを中心として捻れた塗布部１を形成することができる。
【００１０】
実施態様１においては、上記のような立体形状を形成した後に、短冊状部材１１の端部１１ａ及び端部１１ｂと軸２ａとを固着して、化粧料用アプリケーターの塗布部１を特定の立体形状に保持している。
即ち、端部１１ａは先端側固定部材２ｂに連接したものであるので、先端側固定部材２ｂが軸２ａに固着することにより、端部１１ａは軸２ａと間接的に固着している。
図３（Ａ）〜（Ｃ）は、短冊状部材１１の端部１１ｂを軸２ａに固着する方法の例を説明する図である。図３（Ａ）に示す方法では、端部１１ｂを軸２ａに設けた手元側固定部材２ｃと軸２ａとの間に挿入し、手元側固定部材２ｃと軸２ａとの密着を強固にすることによって、端部１１ｂを軸２ａに直接的に固着している。
図３（Ｂ）に示す方法では、手元側固定部材２ｃの外側に端部１１ｂを重ね、その外側にリングＬを嵌めてかしめる。図３（Ｃ）に示す方法では、短冊状部材１１においてリングＬ’が嵌められる位置における幅方向の長さよりも先端側に位置する端部１１ｂの幅方向の長さは、リングＬ’が嵌められる位置における幅方向の長さよりも大きい。また、リングＬ’には、短冊状部材１１の数に対応する数の切り欠きを設けた穴、すなわち、図３では４つの切り欠きを設けた略十字型の穴が形成されている。このリングＬ’を手元側固定部材２ｃまで挿入して、手元側固定部材２ｃの外側に重ねた端部１１ｂを固定する。図３（Ｂ）及び（Ｃ）に示す方法は、作業性の面から好ましい方法である。
但し、実施態様１の場合は、手元側固定部材２ｃと軸２ａとは最初から一体化したものを使用するか、又は最終的に固着する必要がある。
また、図３（Ｂ）又は（Ｃ）に示す方法では、端部１１ｂを手元側固定部材２ｃではなく、リングＬ又はＬ’を用いて軸２ａに直接固着しても差し支えない。
【００１１】
図４（Ａ）は、実施態様１における短冊状部材１１の固着方法の一例を示す説明図である。手元側固定部材２ｃは、短冊状部材１１の数に対応する数の長手方向の切り欠き部１１ｂａを有するリング形状の部材を有する。短冊状部材１１の端部１１ｂは、前記切り欠き部１１ｂａに挿入しうる幅に狭めた係合部１１ｂｂを有する。係合部１１ｂｂは、短冊状部材１１の長手方向に沿って複数箇所に形成することができる。図４（Ａ）では、３つの係合部１１ｂｂが形成されている。短冊状部材１１を屈曲させて端部１１ｂを手元側固定部材２ｃに固着する際に、複数ある係合部１１ｂｂの何れかを選択して切り欠き部１１ｂａに挿入することにより、端部１１ａと端部１１ｂの距離を調整することができる。これにより、短冊状部材１１の中間部１１ｃが軸２ａにおける長手方向に直交する断面の中心から外方に向けて凸になるように湾曲した形状とすることができる。
しかる後、先端側固定部材２ｂを回転させて軸２ａに固着することにより、短冊状部材１１に適宜の捻れを有する形状を作り出すことができる。この場合、軸２ａの先端部と先端側固定部材２ｂの挿入穴２ｂａ（図４には描かれていない。）の形状を同じ多角形としておけば、先端側固定部材２ｂと軸２ａとの嵌合を一旦外し、先端側固定部材２ｂを回転させた後に先端側固定部材２ｂと軸２ａとを再度嵌合・固着することも容易にすることができるが、軸２ａの先端部と先端側固定部材２ｂの挿入穴２ｂａとを摺動可能な円形にしておき、先端側固定部材２ｂを回転させた後に接着により固着する方法であってもよい。
なお、このように先端側固定部材２ｂを回転させる代わりに、手元側固定部材２ｃを軸２ａと摺動可能なものとしておき、図３（Ｂ）又は（Ｃ）に示す如くに、端部１１ｂを手元側固定部材２ｃに固着し、軸２ａを回転・移動させた後に接着等により手元側固定部材２ｃに固着する方法であってもよい。
【００１２】
図４（Ｂ）は、実施態様１における短冊状部材１１の固着方法の他の例を示す説明図である。図４（Ｂ）（ａ）は、端部１１ｂの外観図であり、図４（Ｂ）（ｂ）は、端部１１ｂが手元側固定部材２ｃに挿入された状態を説明する図であり、図４（Ｂ）（ｃ）は、端部１１ｂを束ねた状態のものを手元側固定部材側から見た図である。
図４（Ｂ）（ａ）に示すように、軸２ａの端部を覆う短冊状部材１１の端部１１ｂの先端の断面を、手元側固定部材２ｃの内側形状を等分（図では４等分）してできる一切片の形状に形成する。このようにすると、図４（Ｂ）（ｂ）及び（ｃ）に示すように、各々の短冊状部材１１を互いに束ねることにより、それらの形状部分が組み合わさり、手元側固定部材２ｃの内径と略同じ太さの円柱形状を形成することができる。これにより、軸２ａと短冊状部材１１とを手元側固定部材２ｃに固着させることができる。この方法は、短冊状部材１１を束ね易く、且つ軸２ａと短冊状部材１１とを手元側固定部材２ｃに固定し易い方法である。
【００１３】
塗布部１の形状は、図１（Ｂ）〜（Ｄ）に示したように、短冊状部材１１の中間部１１ｃが軸２ａにおける長手方向に直交する断面の中心から外方に向けて凸になるように、短冊状部材１１が湾曲し、軸２ａと短冊状部材１１との間、及び短冊状部材同士の間に隙間を有する円弧形状に形成するのが好ましい。
このように、短冊状部材１１と軸２ａとの間に隙間を有することは、短冊状部材１１が隙間部分へ変形することが可能となるということであり、化粧料を収容した容器が具備する扱き部材で扱くときには、短冊状部材と軸との間に隙間のないものや短冊状部材自体が重なりあって軸を形成しているようなものと違って、短冊状部材１１が柔らかさのために軸にくっつくように、隙間部分へ逃げるように変形するため、良好な扱きを行うことができる。また、軸２ａが湾曲する態様の場合、扱かれても塗布部１の湾曲の凹みの方には塗布に必要な化粧料が残り易くなるという効果も得られる。
また、短冊状部材１１同士の間に隙間を有することは、夫々の短冊状部材１１が左右に動くことを可能とし、塗布した際の柔らかさや快適な使用感を与えられ、更に、後記するように、短冊状部材１１の側面に突起を設けた場合でも支障が生じることがない。
更にまた、塗布部１の形状は、図１（Ｃ）〜（Ｄ）に示したような、短冊状部材１１が軸２ａを中心として捻れた形状として形成するのが好ましく、これにより塗布部位や使用方法に応じた短冊状部材の形状部分が得られる。
特に、短冊状部材１１が外側の表面及び／又は側面に突起１１ｄを有するものである場合は、例えば、睫毛に化粧料を塗布する際には、睫毛の形状に沿わせやすくなる。また、短冊状部材１１の端部１１ａ，１１ｂと中間部１１ｃとで突起の先端部の向きや間隔を異ならせることができるので、一般的なマスカラブラシにあるような、多数の毛を金属の芯線に挟んで捩ることによって作られるアプリケーターに近い使用感を得ることも可能となる。
【００１４】
＜実施態様２＞
実施態様２は、上記の如き化粧料用アプリケーターにおいて、短冊状部材１１の先端側固定部材２ｂ側の端部１１ａと手元側の端部１１ｂの相互位置を、使用者が使用時に変更することにより、図１（Ａ）〜（Ｄ）の如き種々の形状の塗布部１を形成し得るようにしたものである。
端部１１ａと端部１１ｂの相互位置を変更する方法としては、例えば、軸２ａの手元側に手元側固定部材２ｃを設け、軸２ａを手元側固定部材２ｃに対して、軸２ａの長手方向及び周方向に摺動し得るものとすると共に、端部１１ｂを、軸２ａではなく、その手元側固定部材２ｃに固着させ、使用時に軸２ａを手元側固定部材２ｃに対して、軸２ａの長手方向に移動又は周方向に回転させることにより、端部１１ａと端部１１ｂの相互位置を軸２ａの長手方向又は周方向に変更する方法を挙げることができる。
なお、「手元側固定部材２ｃに対し軸２ａを軸２ａの長手方向に移動又は周方向に回転させる」と記載したが、手元側固定部材２ｃと軸２ａの相対的な位置を変更するということであり、「軸２ａに対し手元側固定部材２ｃを軸２ａの長手方向に移動又は周方向に回転させる」としても同じ意味である。
このような、手元側固定部材２ｃと摺動可能な軸２ａは、例えば、軸２ａを円柱形状に形成し、手元側固定部材２ｃの軸２ａの挿入口の内径を軸２ａの外周が該挿入口の内壁に摺動しながら挿入可能な形状にすることにより構成できる。
但し、化粧料用アプリケーターを使用中に、塗布部１の立体形状が簡単に変化することは必ずしも好ましくなく、軸２ａを操作して端部１１ａ、１１ｂの相互位置を望みの位置に変更した状態で、軸２ａを任意の位置に停止させることを可能とすることが、利便性の面や不意の破損防止の面から好ましい。
【００１５】
軸２ａを任意の位置に停止させる方法としては、例えば、前記の円柱状の軸２ａと円筒状の手元側固定部材２ｃとの組合せにおいては、軸２ａの表面と円筒状の手元側固定部材２ｃの内面のいずれか一方に突起を他方に窪みを設けて摺動抵抗を大きくする方法等を挙げることができる。
端部１１ｂの手元側固定部材２ｃへの固着方法としては、図３（Ｂ）に示すように、端部１１ｂを手元側固定部材２ｃの外側に重ね、その外側にリングＬを嵌めてかしめる方法や、図３（Ｃ）に示すように、端部１１ｂを短冊状部材１１の他の部分より大きく成形しておき、短冊状部材１１を窄めつつ、上部から略十字型の穴の開いたリングＬ'を手元側固定部材２ｃまで挿入する方法等が、作業性の面から好ましい。
但し、図３（Ａ）に示す方法の如く、端部１１ｂを手元側固定部材２ｃと軸２ａとの間に挿入する方法を採る場合でも、端部１１ｂと手元側固定部材２ｃとが固着され、且つ手元側固定部材２ｃと軸２ａとが摺動可能となっていれば差し支えない。
【００１６】
端部１１ａと端部１１ｂの相互位置を変更する方法として、軸２ａを手元側固定部材２ｃに対して、軸２ａの長手方向及び周方向に摺動し得るものとする方法を採ることができる。この場合には、先端側固定部材２ｂと軸２ａとは相互に動かないようにするのが好ましい。例えば、挿入穴２ｂａと軸２ａの先端部との形状を同じ多角形として不要な回転を防いだり、挿入穴２ｂａと軸２ａの先端部とを接着して不要な回転及び長手方向への不要な摺動を防いだりすることができる。
但し、端部１１ａと端部１１ｂの相互位置を変更する方法として、先端側固定部材２ｂを軸２ａに対して回転させることにより端部１１ａの位置を変更する方法も採ることができる。
すなわち、例えば、軸２ａの先端部と先端側固定部材２ｂの挿入穴２ｂａの形状を同じ多角形としておき、使用時には、先端側固定部材２ｂと軸２ａとの嵌合を一旦外し、先端側固定部材２ｂを必要分だけ回転させた後に先端側固定部材２ｂと軸２ａとを再度嵌合する方法を挙げることができる。これにより、塗布部１が軸２ａを中心に捻れた立体形状とすることができる。
なお、端部１１ａと端部１１ｂの相互位置を変更する方法として、前記した如き、軸２ａを手元側固定部材２ｃに対して、軸２ａの長手方向及び周方向に摺動し得るものとする方法と先端側固定部材２ｂを軸２ａに対して回転させることにより端部１１ａの位置を変更する方法とを併用しても差し支えない。
【００１７】
実施態様２においては、塗布部１の形状を変化させる際には、使用者が手を汚さず操作できることが好ましい。
軸２ａを手元側固定部材２ｃに対して、軸２ａの長手方向又は周方向に摺動させる方法の場合には、例えば、図５（Ａ）に示すように、内部に空洞を有する把持部３に手元側固定部材２ｃを固着すると共に、軸２ａを把持部３とは固着させずに把持部３の内部側に突き出した形とし、その突き出した軸２ａの先端を直接持つことができる形状として前後方向又は回転方向（軸の長手方向又は周方向）に動かせるようにした態様や、図５（Ｂ）に示すように、把持部３を２つの部分３−１と３−２に分けた構成とし、把持部３−１に手元側固定部材２ｃを固着すると共に、軸２ａを把持部３−１に固着させずに把持部３−１の内部を貫通させて把持部３−２に固着して、把持部３−２、言い換えれば軸２ａを前後方向又は回転方向（軸の長手方向又は周方向）に動かせるようにした態様を例示することができる。
これらの場合においても、手元側固定部材２ｃ側の端部１１ｂと先端側固定部材２ｂ側の端部１１ａの相互位置が一定以上移動しないように、軸２ａを任意の位置に停止させる手段を講じておくことが好ましい。
【００１８】
このように、実施態様２の化粧料用アプリケーターは、使用者が塗布部１の形状を変化させて、短冊状部材１１を中間部１１ｃが軸における長手方向に直交する断面の中心から外方に向けて凸になるように膨らんだ、円弧形状や捻れた塗布部１を自在に形成できる。
【００１９】
［製造方法］
本発明の化粧料用アプリケーターの製造方法においては、先ず、先端側固定部材２ｂと短冊状部材１１とが一体となった構成部材Ｘを可撓性の材質で一度の成形操作により一体成形する。図２（Ａ）は構成部材Ｘの表側からの斜視図であり、図２（Ｂ）は構成部材Ｘの裏側からの斜視図である。
構成部材Ｘは、短冊状部材１１の一端１１ａが先端側固定部材２ｂに連接されており、複数の短冊状部材１１が先端側固定部材２ｂを中心にして周方向に延出した形状をしている。このため、図のように表面に多数の突起１１ｄを有する短冊状部材１１であっても、突起１１ｄの方向への金型の一方向の引き抜きで成形することが可能である。
【００２０】
先端側固定部材２ｂの裏側には、軸２ａを挿入する為の挿入穴２ｂａが設けられており、軸２ａの手元側には円筒状の手元側固定部材２ｃに挿着され、手元側固定部材２ｃは把持部３に挿着されている。
図２（Ｃ）に示すように、構成部材Ｘの先端側固定部材２の挿入穴２ｂａに、軸２ａの先端部を嵌合した後、点線の矢印の方向に、短冊状部材１１の端部１１ｂが軸２ａに接するように、端部１１ｂを軸２ａの手元側に取り付けることにより、図１（Ａ）に示す如き形状の塗布部１を得る。言い換えれば、挿入穴２ｂａに軸２ａの先端部を嵌合した後、突起１１ｄのある面を外側にして、４つの短冊状部材１１を、点線の矢印の方向に、傘を窄めるように曲げ、４つの短冊状部材１１の手元側の端部１１ｂを軸２ａの手元側に束ねる。
【００２１】
＜実施態様１＞
前記の実施態様１の化粧料用アプリケーターを製造する場合には、更に、端部１１ａと端部１１ｂとの相互位置を軸２ａの長手方向及び周方向に変更して所定の立体形状の塗布部１を形成した後に、端部１１ａと端部１１ｂとを、軸２ａとの位置が変わらないように固着する。
塗布部１の立体形状は、前記したように、例えば、端部１１ａと端部１１ｂとの相互位置を近づける方向に変更して端部１１ｂを軸２ａに固着することにより、図１（Ｂ）〜（Ｄ）に示すような、短冊状部材１１の中間部１１ｃが軸２ａにおける長手方向に直交する断面の中心から外方に向けて凸になるように膨らんだ円弧形状とすることができ、更に、端部１１ｂを軸２ａに固着した後に、先端側固定部材２ｂを軸２ａの周方向に回転させてから先端側固定部材２ｂと軸２ａとを固着することにより、図１（Ｃ）〜（Ｄ）に示すような、短冊状部材１１が軸２ａを中心として捻れた形状を形成することができる。
【００２２】
＜実施態様２＞
前記の実施態様２の化粧料用アプリケーターを製造する場合には、更に、軸２ａの手元側に手元側固定部材２ｃを設け、軸２ａを手元側固定部材２ｃに対して、軸２ａの長手方向及び周方向に摺動し得るものとすると共に、端部１１ｂを、軸２ａではなく、手元側固定部材２ｃに固着させる。このような、軸２ａが摺動可能な手元側固定部材２ｃは、例えば、軸２ａを挿入し得る円筒形とすることにより構成することができる。
【００２３】
＜実施形態１及び２に共通する構成の説明＞
以下、実施態様１及び実施態様２に限らず、本発明に共通する事項について説明する。
短冊状部材１１は、各図に示す例では、４本使用されているが、それに限定されない。但し、利便性、多様性の面からは、１本以上であって、６本以下であるのが好ましく、より好ましくは２本以上であって、４本以下である。
なお、化粧料を収容した容器が具備する扱き部材は短冊状部材の本数と同数のスリッドを有していることが好ましい。これにより、扱き部材及びアプリケーターに負担が少なく、かつ良好な扱きを行うことができる。短冊状部材１１の横方向も扱けて、扱きが一層良好になると共に、側面に突起を有する場合はその扱きも良好になる。また扱きの抵抗も少なくなり、アプリケーターが破損するのも防止する。
さらに、軸２ａは手元側固定部材２ｃよりも細ければ、扱きの際に短冊状部材１１が軸２ａに近づく方向に変形した際に、適度な液溜まりができ、良好な塗布ができる。
【００２４】
短冊状部材１１の厚さ及び幅は、構成する可撓性の樹脂の種類や化粧料用アプリケーターの使用目的等により異なり、一概には決められないが、中間部１１ｃにおける厚みとしては、０．３ｍｍ以上であって３．０ｍｍ以下であるのが、中間部１１ｃにおける幅としては、１．０ｍｍ以上であって１０ｍｍ以下であるのが好ましい。
また、短冊状部材１１の厚さ及び幅は、全長に亘って同じであってもよいが、両方の端部１１ａ、１１ｂは変形量が多い部分であるので、中間部１１ｃに比べて、厚さを薄くした方が、又幅を狭くした方が、製造時の曲げと使用時のひねりが容易となるので好ましい。
【００２５】
更にまた、端部１１ａの先端側固定部材２ｂとの連結部は、中間部１１ｃや端部１１ａよりも更に細い形状とすることが好ましく、ヒンジ形状とすることが更に好ましい。それによって、製造時の曲げと使用時のひねりが更に容易となる。
図１（Ａ）の状態などでは、先端側固定部材２ｂと１１ａとが重なる部分ができるが、この部分は、化粧料容器へのセット時及び使用時に扱き部材に挿入する先端部分であるため、１１ａの厚さを薄くすることによって、先端部の厚さが相殺され、扱き部材への挿入時に扱き部材の形状に沿いやすく、扱き部材やアプリケーターの負担を掛けることがなく、また短冊状部材１１が軸２ａとの隙間に逃げて軸２ａに密着し易くなり、更にまた、アプリケーターの化粧料容器への固定の作業性も良好となる。
【００２６】
短冊状部材１１、特にその中間部１１ｃにおいては、内側の面（図２において突起１１ｄのない面）は、より好ましくは軸２ａに沿うように短手方向に湾曲した、鞘のような形状として、図１（Ａ）の状態において、塗布部１の横方向断面がより円形になるようにして、扱きを良好に行うことができる。
更に、この場合、短冊状部材１１、特にその中間部１１ｃにおいては、外側の面（図２において突起１１ｄのある面）は、内側の面と略同一形状であれば、横方向の厚さが均一になり、規則性のある変形を可能にする。また柔らかい材質であれば、裏面と形状を異にして肉厚にするなどしても、変形が可能となる。
【００２７】
突起１１ｄは、必ずしも設けなくともよいが、設ける場合も、図１〜４に示すような、短冊状部材１１の外側の表面ではなく、側面に設けてもよく、また、外側の表面と側面の両方に設けてもよい。この場合であっても、構成部材Ｘは、金型の一方向の引き抜きのみで成形することができる。
図６は、側面に突起１１ｄを設けた場合の、（Ａ）構成部材Ｘの斜視図と（Ｂ）化粧料用アプリケーターの側面図である。
突起１１ｄを側面に設けた場合は、例えば、図１（Ｃ）のように変形させると、側面の突起１１ｄは塗布体１１の軸２ａと垂直方向に角度を持って突出してくるため、塗布の際も様々な角度や面を用いて細かな調節が可能となる。
突起１１ｄの形状は、各図に示したような針状突起の他、半球状突起や角状の凹凸であっても差し支えない。
なお、短冊状部材１１の外側の表面に切り込み等を設けておくことで、短冊状部材１１の変形に応じて、突起１１ｄの向く方向を同じ短冊状部材１１の中で変化させることも可能であり、それにより更に違った使用感を得ることができる。
【００２８】
本発明においては、構成部材Ｘと軸２ａとは、構成部材Ｘを形成する先端側固定部材２ｂの挿入穴２ｂａに軸２ａの先端部を嵌合することにより一体化する。
この場合の、軸２ａの先端部と先端側固定部材２ｂの挿入穴２ｂａの形状や、最終的に固着するか、脱着可能とするか等は、前記した如くであるが、挿入穴２ｂａを貫通穴として軸２ａの先端を少し突出させる形でもよく、更にその場合において、軸２ａの先端の挿入穴２ｂａから突出させる部分の径を、貫通穴の径より少し太くして、力を加えて挿入することにより、以後の抜け等の無いような強硬な嵌合を達成することができる。
【００２９】
本発明における先端側固定部材２ｂと短冊状部材１１とからなる構成部材Ｘは、可撓性の樹脂で成形したものである。
可撓性の樹脂としては、種々のものが使用可能であり、天然ゴム、合成ゴム、スチレン−ブタジエン−スチレンブロック共重合体（ＳＢＳ）、スチレン−エチレン−ブタジエン−スチレン（ＳＥＢＳ）等の熱可塑性エラストマー、ポリウレタン等の軟質発泡系樹脂等の弾性材料も使用できるが、高密度ポリエチレン（ＨＤＰＥ）、低密度ポリエチレン（ＬＤＰＥ）、線状低密度ポリエチレン（ＬＬＤＰＥ）、エチレン−α−オレフィン共重合体、エチレン−酢酸ビニル共重合体（ＥＶＡ）、エチレン−メチルメタクリレート共重合体（ＥＭＭＡ）、ポリプロピレン（ＰＰ）等のオレフィン樹脂、及び、ポリエチレンテレフタレート（ＰＥＴ）等のポリエステル樹脂、メタクリル酸エステル重合体等のアクリル樹脂、ポリアミド樹脂であってもよい。
軸２ａは短冊状部材１１よりも硬い樹脂で成形したものであることが好ましい。それによって、扱き部材によって扱き易くなる。また、アプリケーター自体が柔らかすぎず、且つ、適当に撓りや弾力性のある短冊状部材１１と相俟って良好な使用感が得られる。
軸２ａに使用する成形材料としては、ＰＥＴ、ＰＰ等のオレフィン樹脂、ポリアセタール樹脂（ＰＯＭ）等が適当である。
【００３０】
本発明の化粧料用アプリケーターは、マスカラ、アイライナー、アイブロウ、更には、ネイルエナメル、リップグロス等の液体化粧料のアプリケーターとして好適に用いられる。
【００３１】
［化粧用具］
本発明の化粧用具は、このような化粧料を収容した容器と、該化粧料中に塗布部１が浸漬されている化粧料用アプリケーターとを具備したものである。
【００３２】
［実施態様３］
以下、実施態様３について、図面を用いて詳細に説明する。図７（Ａ）は、実施態様３として示す短冊状部材１１１の側面図であり、図７（Ｂ）は、短冊状部材１１１の平面図である。
短冊状部材１１１は、軸２ａの先端側に連接される端部１１１ａと、軸２ａの手元側に取り付けられる端部１１１ｂとを有する。短冊状部材１１１の中間部１１１ｃにおける幅ｗｃは、端部１１１ａにおける幅ｗａよりも長い。また、短冊状部材１１１の中間部における幅ｗｃは、端部１１１ｂにおける幅ｗｂよりも長い。ここで、端部１１１ａにおける幅ｗａと端部１１１ｂにおける幅ｗｂは、同じであっても異なっていてもよい。
また、中間部１１１ｃにおける厚みＤｃは、端部１１１ａにおける厚みＤａよりも厚い。中間部１１１ｃにおける厚みＤｃは、端部１１１ｂにおける厚みＤｂよりも厚い。端部１１１ａの厚みＤａと端部１１１ｂの厚みＤｂは、同じであっても異なっていてもよい。
短冊状部材１１１は、上述のように中間部１１１ｃに向かうに連れて幅方向の長さが大きくなるような形状になっている。このため、構造部材Ｘが軸２ａに取り付けられた際に短冊状部材１１１が円弧形状に変形した状態で、矩形状になっているものと比べて、隣接する短冊状部材同士の隙間が狭められる。これにより、安定した塗布作業性が得られる。さらに、短冊状部材１１１が化粧料を塗布しやすい円弧形状に変形した状態であっても、短冊状部材１１１の裏面側に化粧料を適量保持することができる。
また、短冊状部材１１１は、上述のように、中間部１１１ｃに向かうに連れて、厚み方向の長さが大きくなるような形状を有することにより、中間部１１１ｃよりも端部１１１ａ，１１１ｂの剛性が低くなる。このため、端部１１１ａ，１１１ｂにおいて変形しやすく、構造部材Ｘから塗布部を形成する際に、安定した円弧形状に変形することができる。また、短冊状部材１１１が自身の長手方向を回動軸として捻れやすい。また、端部１１１ａ，１１１ｂよりも中間部１１１ｃの厚みＤｃが厚いため、化粧料を塗布する際に、特に睫毛に当接し易い中間部１１１ｃの強度が高められる。これにより、化粧料を塗布する際に、塗布部が型崩れすることなく、良好な塗布作業性が得られる。
短冊状部材１１１の中間部１１１ｃにおける厚みＤｃは０．３ｍｍ以上であって３．０ｍｍ以下であることが好ましい。また、短冊状部材１１１の中間部１１１ｃにおける幅ｗｃは、１．０ｍｍ以上であって１０ｍｍ以下であることが好ましい。
【００３３】
［実施態様４］
図８（Ａ）は、実施態様４として示す短冊状部材２１１の突起が形成された面からみた平面図であり、図８（Ｂ）は、短冊状部材２１１の側面図である。また、図８（Ｃ）は、短冊状部材２１１が湾曲した状態を説明する図である。なお、図８（Ａ）〜（Ｃ）では、説明の便宜上、突起は省略されている。
短冊状部材２１１は、軸２ａの先端側に連接される端部２１１ａと、軸２ａの手元側に取り付けられる端部２１１ｂとを有する。さらに、短冊状部材２１１は、外縁から幅方向内側に向けて形成されたスリット２１１ｓを有する。
短冊状部材２１１は、スリット２１１ｓを有することにより、短冊状部材２１１全体の剛性が低減されるため、変形しやすく、図８（Ｃ）に示すように、構造部材Ｘから塗布部を形成する際に、安定した円弧形状に変形することができる。また、短冊状部材２１１が自身の長手方向を回動軸として捻れやすくすることができる。
なお、スリット２１１ｓの代わりに、短冊状部材２１１の裏面から表面側に向けて、又は表面から裏面側に向けて凹んだ溝であってもよい。溝の場合であっても、スリットと同様に、安定した円弧形状に変形できるとともに、短冊状部材２１１が自身の長手方向を回動軸として捻れやすくできる。
【００３４】
［実施態様５］
図９（Ａ）は、実施態様５として示す短冊状部材３１１の突起が形成された面からみた平面図であり、図９（Ｂ）は、短冊状部材３１１の中間部３１１ｃにおける断面図である。図９（Ａ），（Ｂ）では、説明の便宜上、突起は省略されている。
短冊状部材３１１は、軸２ａの先端側に連接される端部３１１ａと、軸２ａの手元側に取り付けられる端部３１１ｂとを有する。さらに、短冊状部材３１１は、長手方向の中心線に沿って形成されたスリット３１１ｓを有する。
短冊状部材３１１は、スリット３１１ｓを有することにより、図８（Ｃ）に示すように、長手方向に沿って折れ曲がり、短冊状部材３１１における睫毛に当接する面が睫毛側に突出した凸面になる。これにより、凸面に形成された複数の突起（図８（Ｃ）では省略されている）の先端の間隔が広がるため、睫毛をとらえ易くなり、化粧料を確実に塗布することができる。
【００３５】
［実施態様６］
図１０（Ａ）は、実施態様６として示す短冊状部材４１１の軸側の面（裏面４１１ｒという）からみた平面図であり、図１０（Ｂ）は、短冊状部材４１１の中間部４１１ｃにおける断面図である。
短冊状部材４１１は、軸２ａの先端側に連接される端部４１１ａと、軸２ａの手元側に取り付けられる端部４１１ｂとを有する。さらに、短冊状部材３１１の裏面４１１ｒには、長手方向に沿って形成された溝４１１ｔを有する。
本実施態様では、長手方向の両側縁に２本の溝４１１ｔが形成されている。数は、２本に限定されない。短冊状部材３１１のスリット３１１ｓのように、短冊状部材本体の中心線に沿って１本の溝が形成されていてもよい。また、２本以上の溝が形成されていてもよい。
短冊状部材４１１は、溝４１１ｔを有することにより、図１０（Ｂ）に示すように、幅方向に沿って湾曲し易くなり、短冊状部材４１１における睫毛に当接する面が睫毛側に突出した凸面になる。これにより、凸面に形成された複数の突起（図１０（Ｂ）では省略されている）の先端の間隔が広がるため、睫毛をとらえ易くなり、化粧料を確実に塗布することができる。
図１０（Ｃ）は、裏面に形成される溝の他の態様を説明する図である。短冊状部材４１１では、長手方向に沿った溝４１１ｔのほかに、幅方向に沿った複数の溝４１１ｕが形成されていてもよい。
短冊状部材４１１は、幅方向に沿った複数の溝４１１ｕが形成されることにより、短冊状部材４１１全体の剛性が低減されるため、変形しやすく、構造部材Ｘから塗布部を形成する際に、安定した円弧形状に変形することができる。
溝４１１ｔ及び溝４１１ｕが短冊状部材４１１の裏面に形成されている場合について説明したが、溝４１１ｔ及び溝４１１ｕは、短冊状部材４１１の表面に形成されていてもよい。表面に形成される場合であっても同様の効果が得られる。さらにまた、溝４１１ｔ及び溝４１１ｕが表面に形成されていると、溝内部に化粧料が保持されるという利点も得られる。
短冊状部材４１１の表面に突起が形成される場合には、溝４１１ｔ及び溝４１１ｕは、突起が形成されていない表面又は裏面に形成されることが好ましい。
【００３６】
［実施態様７］
図１１（Ａ）〜（Ｃ）は、実施態様７として示す短冊状部材５１１と、この短冊状部材５１１を備える化粧料用アプリケーターとが、扱き部材Ｃによって扱かれている様子を説明する軸方向断面図である。なお、図１１（Ａ）〜（Ｃ）では、説明の便宜上、短冊状部材５１１の表面に形成される突起は、省略されている。
短冊状部材５１１は、軸２ａの先端側に連接される端部５１１ａと、軸２ａの手元側に取り付けられる端部５１１ｂとを有する。さらに、短冊状部材５１１の軸側の面５１１ｒには、軸側に向けて突出した突部５１１ｐ，５１１ｑが形成されている。
突部５１１ｐは、中間部５１１ｃよりも端部５１１ａ寄りに形成されており、突部５１１ｑは、中間部５１１ｃよりも端部５１１ｂ寄りに形成されている。
扱き動作の際に、短冊状部材５１１によって形成された塗布部が扱き部材Ｃによって軸２ａに押しつけられると、短冊状部材５１１の表面の突部５１１ｐ，５１１ｑが形成されている部分では、扱き作用が大きくなり保持される化粧料Ｋの量が制限される。一方、軸２ａに突部５１１ｐ，５１１ｑが当接することによって、短冊状部材５１１と軸２ａとの隙間に適度な化粧料Ｋを保持できる。また、中間部５１１ｃにおいては、突部がないため、扱き動作の際に、扱き部材Ｃと中間部５１１ｃとの間に隙間ができ、短冊状部材５１１の中間部５１１ｃの表面に適量の化粧料Ｋを残すことができる。
【００３７】
［実施態様８］
＜短冊状部材に形成される突起＞
図１２は、実施態様８として示す短冊状部材６１１の一部分を表した外観斜視図である。短冊状部材６１１は、軸２ａの先端側に連接される端部６１１ａ（図１２には図示せず）と、軸２ａの手元側に取り付けられる端部６１１ｂとを有し、短冊状部材６１１の表面６１１ｆには、複数の突起６１１ｄが形成されている。
短冊状部材６１１は、さらに、軸側の面（裏面）６１１ｒに連なる側面６１１ｗにも突起６１１ｇが形成されている。短冊状部材６１１では、構造部材Ｘが軸２ａに取り付けられた際に短冊状部材６１１が円弧形状に変形した状態において、隣接する短冊状部材同士の隙間に向けて突起６１１ｇが突出している。このため、短冊状部材６１１が化粧料を塗布しやすい円弧形状に変形した状態であっても、短冊状部材６１１に化粧料を適量保持することができる。
さらに、塗布部が、図１（Ｄ）に示すような、捻れ形状に変形した場合には、側面６１１ｗに形成された突起６１１ｇが睫毛の把持に寄与し、化粧料の塗布作業性を向上できる。
【００３８】
［実施態様９］
＜短冊状部材が連接される先端側固定部材の構造＞
図１３（Ａ），（Ｂ）は、短冊状部材１１を軸２ａに取り付けるための先端側固定部材の実施形態を説明する断面図である。図１３（Ａ）に示す先端側固定部材２１は、円柱形状に形成されている。また、図１３（Ｂ）に示す先端側固定部材２２は、球状に形成されている。
短冊状部材１１の端部１１ａと先端側固定部材２１とは、連結部１１ｊを介して連接されている。連結部１１ｊは、連接に必要な強度を損なわないように、短冊状部材１１の幅方向及び厚み方向よりも小さくすることが好ましい。連結部１１ｊは、短冊状部材１１の捻れ、回動などに大きく寄与する。例えば、連結部１１ｊの断面形状が多角形になっていると、短冊状部材１１の回動動作の自由度が小さくなるため、好ましくない。また、連結部１１ｊの断面形状が多角形になっていると、短冊状部材１１が捻れた際に、連結部１１ｊに破損しやすくなるため、好ましくない。したがって、連結部１１ｊは、円柱形状であることが好ましい。
【００３９】
また、先端側固定部材２ｂが多面体柱で形成されており、短冊状部材１１の端部１１ａが連結部１１ｊを介して多面体の平面に取り付けられている場合には、使用者が短冊状部材の先端側固定部材側の端部と手元側の端部との相互位置を、軸を周方向に回動させて変更する際に、いずれかの面が正面に位置するように操作することを想起させるため、捻り角度が段階的にしか調整できない印象を与える。
これに対して、連結部１１ｊが取り付けられる箇所が曲面になっていると、同様の操作を行う際に、使用者がどの捻り角度で位置合わせしても、違和感を与えることがない。このため、使用者毎に適した使用が可能である。
【００４０】
図１４は、先端側固定部材に連接される短冊状部材１１の端部の形状を説明する図である。図１４には、先端側固定部材２ｂは図示されていないが、図６に説明される端部１１ａが図１４における連結部１１ｊを介して、先端側固定部材２ｂに連接されている。
連結部１１ｊは、短冊状部材１１の他の部分、すなわち、短冊状部材１１の中間部１１ｃ、端部１１ａ，１１ｂよりも括れた円柱形状になっていることが好ましい。このような形状に形成されていることにより、図１４に示すように、連結部１１ｊが先端側固定部材２ｂに対して捻れることができ、短冊状部材１１全体が連結部１１ｊを軸にして回動し易くなる。このため、睫毛Ｍの湾曲形状に追従して、睫毛に化粧料を確実に塗布することができる。
上述した各実施態様とこの連結部の形状とを組み合わせることもでき、同様の作用効果を奏する。
【００４１】
［実施態様１０］
＜短冊状部材を軸に取り付けるリングの構造＞
図１５は、短冊状部材を軸に取り付けるリング３０の構造を説明する平面図である。
リング３０は、図３（Ｃ）に示すリングＬ’に相当する。リング３０は、軸２ａ及び短冊状部材１１の端部が挿通する穴が形成されている。リング３０には、短冊状部材１１の数に対応する数の切欠部が形成されている。本実施形態では、すなわち、４つの切欠部３１，３２，３３，３４を有する略十字型の穴が形成されている。
リング３０の切欠部３１，３２，３３，３４には、短冊状部材１１の端部１１ｂが収まるようになっており、切欠部の間に形成された突部３５，３６，３７，３８の頂点は、軸２ａの外周円上に位置し、軸部２ａを把持するように形成されている。
【００４２】
［塗布部の捻れ及び円弧形状について］
＜塗布部の捻れ＞
本実施形態に係る化粧料用アプリケーターの塗布部の捻れとその効果について、図１に示す化粧料用アプリケーターを用いて説明する。図１６は、化粧料用アプリケーターの塗布部１のＡＡ断面，ＢＢ断面，ＣＣ断面，ＤＤ断面，及びＥＥ断面を説明する図である。
本実施形態に係る化粧料用アプリケーターは、端部１１ａと端部１１ｂとの相互位置を軸２ａの長手方向に直交する断面の外縁に沿って変更することができる。これにより、図１６に示すように、軸２ａを中心として捻れた塗布部１を形成することができる。
例えば、塗布部１に捻れがなければ、図１１に示したように、扱き部材Ｃによって複数ある短冊状部材の表面が扱き部材Ｃによって扱かれることになる。これに対して、図１６に示すように、軸２ａを中心として捻れた塗布部１が形成されている場合には、塗布部１を扱き部材Ｃによって扱く際に、扱き部材Ｃの先端が当接する部位が変位するため、１つの短冊状部材１１において、扱かれる部分と扱かれ難い部分とができ、短冊状部材１１の表面や短冊状部材１１と軸２ａとの隙間に、化粧料が適度に保持される。これにより、化粧料の睫毛への塗布作業性が向上する。
【００４３】
＜塗布部の円弧形状＞
本実施形態に係る化粧料用アプリケーターの塗布部の捻れとその効果について、図１に示す化粧料用アプリケーターを用いて説明する。図１７は、軸２ａと短冊状部材１１の長さとの関係を説明する図である。
本実施形態に係る化粧料用アプリケーターは、端部１１ａと端部１１ｂとの相互位置を軸２ａの長手方向に沿って変更することができる。短冊状部材１１が円弧形状に形成されるためには、短冊状部材１１の端部１１ａから端部１１ｂまでの長さＬ１と、軸２ａにおける先端側固定部材２ｂと端部１１ａとの取付位置から端部１１ｂの取付位置までの長さＬ２とが、０．６０＜Ｌ２／Ｌ１＜１．０を満たすことが好ましい。
図１７に示すように、Ｌ２／Ｌ１が０．６に近づくにつれて、短冊状部材１１の曲率が大きくなる。また、軸２ａと短冊状部材１１の中間部１１ｃとの間の空隙が広がる。一方、Ｌ２／Ｌ１が１．０に近づくにつれて、短冊状部材１１の曲率が小さくなる。また、軸２ａと短冊状部材１１の中間部１１ｃとの間の空隙が狭くなる。
Ｌ２／Ｌ１を上記範囲に設定することにより、軸２ａと短冊状部材１１の中間部１１ｃとの間の空隙に化粧料を保持することができる。また、構造部材Ｘから塗布部を形成する際に、安定した円弧形状に変形することができる。
【００４４】
＜円弧形状と塗布部の捻れの関係について＞
図１８（Ａ）は、塗布部のＬ２／Ｌ１が０．６に近い場合における塗布部の捻れを説明する模式図であり、図１８（Ｂ）は、塗布部のＬ２／Ｌ１が１．０に近い場合における塗布部の捻れを説明する模式図である。
図１８（Ａ），（Ｂ）に示すように、塗布部のＬ２／Ｌ１が０．６に近い場合、すなわち、短冊状部材１１の円弧の曲率が大きい場合には、短冊状部材１１と軸２ａとの隙間、及び隣接する短冊状部材１１との間隔が開いているため、端部１１ａと端部１１ｂとの相互位置を軸の周方向に沿って十分に捻っても使用することができる。すなわち、捻り角度の調整代が大きく設定できる。捻り角度を大きくすると、短冊状部材１１の形状の変位も大きくなる。これにより、短冊状部材１１の表面に形成された突起１１ｄの先端の方向及びその間隔のばらつきが大きくなるため、突起１１ｄが睫毛に絡みやすくなる。
一方、塗布部のＬ２／Ｌ１が１．０に近い場合、すなわち、短冊状部材１１の曲率が小さい場合には、短冊状部材１１と軸２ａとの隙間、及び隣接する短冊状部材１１との間隔が予め狭いため、Ｌ２／Ｌ１＝０．６０の場合に比べて、小さい捻り角度でも巻き締まりが起こり、捻ることができなくなる。また、Ｌ２／Ｌ１が１．０に近い場合、捻りによる反発力が大きく、連結部に過度な負荷がかかったり、隣接する短冊状部材１１同士が接触したりする。しかし、短冊状部材１１と軸２ａとの間に、適量の化粧料を保持するという点では、塗布部のＬ２／Ｌ１が１．０に近く、捻り角度が小さいものも有用である。
上記観点から、捻り角度は、０°〜１８０°とすることができ、好ましくは、０°〜９０°である。
【００４５】
＜塗布部の捻れ及び円弧形状とその効果＞
本実施形態に係る化粧料用アプリケーターは、端部１１ａと端部１１ｂとの相互位置を軸２ａの長手方向に沿って、及び長手方向に直交する断面の外縁に沿って変更することができる。これにより、塗布部１の立体形状を変化させることができる。
本実施形態に係る化粧料用アプリケーターは、塗布部１を捻らない状態において、短冊状部材１１と軸２ａとの間に化粧料を保持できる程度の隙間があること、また、使用者の好みや気分に合わせて睫毛への化粧料の塗布状態を調整できるように、捻り角の調整代を設けることから、短冊状部材の枚数が３〜４枚、短冊状部材１１の中間部１１ｃにおける幅が、２．０ｍｍ以上８．０ｍｍ以下、Ｌ２／Ｌ１が０．６以上１．０以下、捻り可能角度は、４５°以上９０°以下であることが好ましい。
【００４６】
なお、本発明の実施の形態に記載された効果は、本発明から生じる最も好適な効果を列挙したに過ぎず、本発明による効果は、本発明の実施の形態に記載されたものに限定されるものではない。
【００４７】
［その他の実施態様］
上述した実施形態に関し、本発明はさらに以下の態様を開示する。
本発明は下記＜１＞に記載の化粧料用アプリケーターである。
＜１＞化粧料を塗布する塗布部と、塗布部を支持する軸とを有し、塗布部は、軸の先端部側に連接された端部と、軸の手元側に連接された端部と、両方の端部の中間に位置する中間部とを有する短冊状部材を備え、短冊状部材の両方の端部の中間部が軸における長手方向に直交する断面の中心から外方に向けて凸になるように湾曲した化粧料用アプリケーター。
【００４８】
本発明は、さらに以下の化粧料用アプリケーター、化粧料用アプリケーターの製造方法、化粧方法及び化粧用具であることが好ましい。
＜２＞塗布部は、複数の短冊状部材を有しており、軸と短冊状部材との間、及び短冊状部材同士の間には、隙間が形成された前記＜１＞に記載の化粧料用アプリケーター。
＜３＞短冊状部材において、軸の先端部側に連接された端部と、軸の手元側に連接された端部との相互位置が、軸の長手方向投影面において異なる位置にあり、塗布部が軸を中心として捻れている、前記＜１＞又は＜２＞に記載の化粧料用アプリケーター。
＜４＞軸の先端部に取り付けられる先端側固定部材と、先端側固定部材に連接されており可撓性を有する短冊状部材とを有する構成部材を備え、先端側固定部材を軸の先端部に嵌合すると共に、短冊状部材を先端側固定部材側の端部から手元側に屈曲させて軸に沿わせ、短冊状部材の手元側の端部を軸の手元側に束ねることにより塗布部を形成してなる、前記＜１＞〜＜３＞のいずれか１に記載の化粧料用アプリケーター。
＜５＞短冊状部材の先端側固定部材側の端部及び手元側の端部が各々軸に対し不動に固定された前記＜４＞に記載の化粧料用アプリケーター。
＜６＞短冊状部材の先端側固定部材側の端部と手元側の端部との相互位置を、軸の長手方向及び軸の長手方向投影面において異なる位置に変更する機構を有する前記＜４＞に記載の化粧料用アプリケーター。
＜７＞軸の手元側に手元側固定部を設け、軸を手元側固定部に対して、軸の長手方向及び周方向に摺動する機構を有し、短冊状部材の手元側の端部が手元側固定部材に対し不動に固定された前記＜６＞に記載の化粧料用アプリケーター。
＜８＞短冊状部材の先端側固定部材側の端部と手元側の端部との相互位置を変更した状態で停止させる機構を有する前記＜６＞又は＜７＞のいずれか１項に記載の化粧料用アプリケーター。
＜９＞内部に空洞を有する把持部に手元側固定部材を固定すると共に、軸を把持部とは固着させずに把持部の内部側に突き出し、その突き出した軸の先端部を直接持つことができる形状とした、前記＜６＞〜＜８＞のいずれか１に記載の化粧料用アプリケーター。
＜１０＞把持部を２つの部分に分けた構成とし、短冊状部材に近い方の把持部に手元側固定部材を固着すると共に、軸を短冊状部材に近い方の把持部に固着させずにその内部を貫通させて短冊状部材に遠い方の把持部に固着した、前記＜６＞〜＜８＞のいずれか１に記載の化粧料用アプリケーター。
＜１１＞軸を形成する素材が、先端側固定部材と短冊状部材とからなる構成部材を形成する素材よりも硬い素材で成形されてなる、前記＜４＞〜＜１０＞のいずれか１に記載の化粧料用アプリケーター。
＜１２＞短冊状部材が、外側の表面及び／又は側面に突起を有するものである、前記＜４＞〜＜１１＞のいずれか１に記載の化粧料用アプリケーター。
＜１３＞短冊状部材の端部の厚みが、短冊状部材の中間部の厚みよりも薄く形成されてなる、前記＜４＞〜＜１２＞のいずれか１に記載の化粧料用アプリケーター。
＜１４＞短冊状部材の端部の幅方向の長さが短冊状部材の中間部の幅方向の長さに比べて短く形成されてなる、前記＜４＞〜＜１３＞のいずれか１に記載の化粧料用アプリケーター。
＜１５＞端部の先端側固定部材は連結部によって連接されており、連結部は中間部や端部よりも更に細い形状とすることが好ましく、より好ましくはヒンジ形状である、前記＜４＞〜＜１４＞のいずれか１に記載の化粧料用アプリケーター。
＜１６＞連結部は円柱形状である、前記＜１５＞に記載の化粧料用アプリケーター。
＜１７＞短冊状部材の中間部における厚さが０．３ｍｍ以上であって３．０ｍｍ以下である、前記＜４＞〜＜１６＞のいずれか１に記載の化粧料用アプリケーター。
＜１８＞短冊状部材の中間部における幅が１．０ｍｍ以上であって１０ｍｍ以下である、前記＜４＞〜＜１７＞のいずれか１に記載の化粧料用アプリケーター。
＜１９＞突起が針状である、前記＜４＞〜＜１８＞のいずれか１に記載の化粧料用アプリケーター。
＜２０＞短冊状部材の外側の表面に切り込みを設けた、前記＜４＞〜＜１９＞のいずれか１に記載の化粧料用アプリケーター。
＜２１＞短冊状部材の外縁から幅方向内側に向けて形成されたスリットが設けられている、前記＜４＞〜＜２０＞のいずれか１に記載の化粧料用アプリケーター。
＜２２＞短冊状部材の長手方向の中心線に沿って形成されたスリットが設けられている、前記＜４＞〜＜２１＞のいずれか１に記載の化粧料用アプリケーター。
＜２３＞短冊状部材の長手方向に沿って形成された溝が設けられている、前記＜４＞〜＜２２＞のいずれか１に記載の化粧料用アプリケーター。
＜２４＞短冊状部材の幅方向に沿って形成された溝が設けられている、前記＜４＞〜＜２３＞のいずれか１に記載の化粧料用アプリケーター。
＜２５＞短冊状部材の数が１本以上であって６本以下であり、より好ましくは２本以上であって４本以下である、前記＜４＞〜＜２４＞のいずれか１に記載の化粧料用アプリケーター。
＜２６＞短冊状部材の内側の面が軸に沿うように短手方向に湾曲した形状である、前記＜４＞〜＜２５＞のいずれか１に記載の化粧料用アプリケーター。
＜２７＞短冊状部材の外側の面が、短冊状部材の内側の面と同一形状である、前記＜４＞〜＜２６＞のいずれか１に記載の化粧料用アプリケーター。
＜２８＞先端側固定部材の裏面に設けた挿入穴の形状と軸の先端部の形状とが同じ多角形である、前記＜４＞〜＜２７＞のいずれか１に記載の化粧料用アプリケーター。
＜２９＞挿入穴を貫通穴として軸の先端部を少し突出させ、軸の先端部の挿入穴から突出させる部分の径を、貫通穴の径より少し太くした、前記＜４＞〜＜２８＞のいずれか１に記載の化粧料用アプリケーター。
＜３０＞手元側固定部材が、軸を挿入し得る円筒状である、前記＜４＞〜＜２９＞のいずれか１に記載の化粧料用アプリケーター。
＜３１＞短冊状部材の軸側の面に、軸側に向けて突出した突部が形成されている、前記＜４＞〜＜３０＞のいずれか１に記載の化粧料用アプリケーター。
＜３２＞突部は、中間部よりも両端部寄りに１個ずつ成形されている、前記＜３１＞に記載の化粧料用アプリケーター。
【００４９】
＜３３＞軸と塗布部とを有する化粧料用アプリケーターの製造方法であって、軸の先端部に取り付けられる先端側固定部材と、先端側固定部材に連接されており先端側固定部材を中心として周方向に延出する短冊状部材とからなり可撓性を有する構成部材を一体成形し、成形して得られた構成部材の先端側固定部材を軸の先端部に嵌合した後、短冊状部材の手元側の端部を軸の手元側に連接することにより、短冊状部材の両方の端部の中間に位置する中間部が軸における長手方向に直交する断面の中心から外方に向けて凸になるように湾曲した塗布部を形成する、化粧料用アプリケーターの製造方法。
＜３４＞短冊状部材の先端側固定部材に連接された端部と手元側の端部との相互位置を変更して塗布部を所定の立体形状とした後、短冊状部材の先端側固定部材側の端部と手元側の端部とを軸に対し不動に固定する、前記＜３３＞に記載の化粧料用アプリケーターの製造方法。
＜３５＞軸の手元側に手元側固定部を設け、軸を手元側固定部に対して、軸の長手方向及び周方向に摺動し得るものとすると共に、短冊状部材の手元側の端部を手元側固定部材に対し不動に固定することにより、短冊状部材の先端側固定部材に連接された端部と手元側の端部との相互位置を軸の長手方向及び軸の周方向に変更可能とした、前記＜３３＞に記載の化粧料用アプリケーターの製造方法。
＜３６＞前記＜４＞〜＜３２＞のいずれか１に記載された化粧料用アプリケーターを使用して、化粧料を塗布する塗布方法。
＜３７＞化粧料を収容した容器に装着された化粧料用アプリケーターであって、化粧料用アプリケーターは、化粧料を塗布する塗布部と、塗布部が取り付けられた軸とを有し、塗布部は、軸の先端部に取り付けられる先端側固定部材と、軸の先端部に取り付けられる先端側固定部材に連接された端部及び軸の手元側に連接された端部を有し可撓性を有する短冊状部材とを有する構成部材を備え、塗布部は、構成部材の先端側固定部材を軸の先端部に嵌合すると共に、短冊状部材の手元側の端部を軸の手元側に連接することにより形成されており、短冊状部材において、軸の先端部側に連接された端部と、軸の手元側に連接された端部との相互位置を軸の長手方向に変更することにより、短冊状部材の両方の端部の中間に位置する中間部が軸における長手方向に直交する断面の中心から外方に向けて凸になるように短冊状部材が湾曲された化粧料用アプリケーターを用いて化粧料を塗布する塗布方法。
＜３８＞化粧料を収容した容器に装着された化粧料用アプリケーターであって、化粧料用アプリケーターは、化粧料を塗布する塗布部と、塗布部が取り付けられた軸とを有し、塗布部は、軸の先端部に取り付けられる先端側固定部材と、軸の先端部に取り付けられる先端側固定部材に連接された端部及び軸の手元側に取り付けられた端部を有し可撓性を有する短冊状部材とを有する構成部材を備え、塗布部は、構成部材の先端側固定部材を軸の先端部に嵌合すると共に、短冊状部材の手元側の端部を軸の手元側に連接することにより形成されており、短冊状部材において、軸の先端部側に連接された端部と、軸の手元側に連接された端部との相互位置を軸の長手方向投影面において異なる位置になるように変更することにより、塗布部が軸を中心として捻れた形状を有する化粧料用アプリケーターを用いて化粧料を塗布する塗布方法。
＜３９＞化粧料を収容した容器に装着された化粧料用アプリケーターであって、化粧料用アプリケーターは、化粧料を塗布する塗布部と、塗布部が取り付けられた軸とを有し、塗布部は、軸の先端部に取り付けられる先端側固定部材と、軸の先端部に取り付けられる先端側固定部材に連接された端部及び軸の手元側に取り付けられた端部を有し可撓性を有する短冊状部材とを有する構成部材を備え、塗布部は、構成部材の先端側固定部材を軸の先端部に嵌合すると共に、短冊状部材の手元側の端部を軸の手元側に連接することにより形成されており、軸の手元側に手元側固定部を設け、軸を手元側固定部に対して、軸の長手方向及び周方向に摺動し得るものとすると共に、短冊状部材の手元側の端部を手元側固定部材に対し不動に固定した化粧料用アプリケーターを用いて化粧料を塗布する塗布方法。
＜４０＞化粧料を収容した容器に前記＜４＞〜＜３２＞のいずれか１に記載された化粧料用アプリケーターが装着された化粧用具であって、化粧料に化粧料用アプリケーターの塗布部が浸漬された状態で装着される化粧用具。
【００５０】
＜４１＞塗布部及び軸が一体に成型されている、前記＜１＞〜＜３＞のいずれか１に記載の化粧料用アプリケーター。
＜４２＞短冊状部材が、外側の表面及び／又は側面に突起を有するものである、前記＜４１＞に記載の化粧料用アプリケーター。
＜４３＞短冊状部材の端部の厚みが、短冊状部材の中間部の厚みよりも薄く形成されてなる、前記＜４１＞又は＜４２＞に記載の化粧料用アプリケーター。
＜４４＞短冊状部材の端部の幅方向の長さが短冊状部材の中間部の幅方向の長さに比べて短く形成されてなる、前記＜４１＞〜＜４３＞のいずれか１に記載の化粧料用アプリケーター。
＜４５＞端部の先端側固定部材は連結部によって連接されており、連結部は中間部や端部よりも更に細い形状とすることが好ましく、より好ましくはヒンジ形状である、前記＜４１＞〜＜４４＞のいずれか１に記載の化粧料用アプリケーター。
＜４６＞連結部は円柱形状である、前記＜４５＞に記載の化粧料用アプリケーター。
＜４７＞短冊状部材の中間部における厚さが０．３ｍｍ以上であって３．０ｍｍ以下である、前記＜４１＞〜＜４６＞のいずれか１に記載の化粧料用アプリケーター。
＜４８＞短冊状部材の中間部における幅が１．０ｍｍ以上であって１０ｍｍ以下である、前記＜４１＞〜＜４７＞のいずれか１に記載の化粧料用アプリケーター。
＜４９＞突起が針状である、前記＜４１＞〜＜４８＞のいずれか１に記載の化粧料用アプリケーター。
＜５０＞短冊状部材の外側の表面に切り込みを設けた、前記＜４１＞〜＜４９＞のいずれか１に記載の化粧料用アプリケーター。
＜５１＞短冊状部材の外縁から幅方向内側に向けて形成されたスリットが設けられている、前記＜４１＞〜＜５０＞のいずれか１に記載の化粧料用アプリケーター。
＜５２＞短冊状部材の長手方向の中心線に沿って形成されたスリットが設けられている、前記＜４１＞〜＜５１＞のいずれか１に記載の化粧料用アプリケーター。
＜５３＞短冊状部材の長手方向に沿って形成された溝が設けられている、前記＜４１＞〜＜５２＞のいずれか１に記載の化粧料用アプリケーター。
＜５４＞短冊状部材の幅方向に沿って形成された溝が設けられている、前記＜４１＞〜＜５３＞のいずれか１に記載の化粧料用アプリケーター。
＜５５＞短冊状部材の数が１本以上であって６本以下であり、より好ましくは２本以上であって４本以下である、前記＜４１＞〜＜５４＞のいずれか１に記載の化粧料用アプリケーター。
＜５６＞短冊状部材の内側の面が軸に沿うように短手方向に湾曲した形状である、前記＜４１＞〜＜５５＞のいずれか１に記載の化粧料用アプリケーター。
＜５７＞短冊状部材の外側の面が、短冊状部材の内側の面と同一形状である、前記＜４１＞〜＜５６＞のいずれか１に記載の化粧料用アプリケーター。
＜５８＞短冊状部材の軸側の面に、軸側に向けて突出した突部が形成されている、前記＜４１＞〜＜５７＞のいずれか１に記載の化粧料用アプリケーター。
＜５９＞突部は、中間部よりも両端部寄りに１個ずつ成形されている、前記＜５８＞に記載の化粧料用アプリケーター。
＜６０＞前記＜４１＞〜＜５９＞のいずれか１に記載された化粧料用アプリケーターを使用して、化粧料を塗布する塗布方法。
＜６１＞化粧料を収容した容器に前記＜４１＞〜＜５９＞のいずれか１に記載された化粧料用アプリケーターが装着された化粧用具であって、化粧料に化粧料用アプリケーターの塗布部が浸漬された状態で装着される化粧用具。
【符号の説明】
【００５１】
１：塗布部、  １１：短冊状部材、  １１ａ：短冊状部材の先端側固定部側の端部、  １１ｂ：短冊状部材の手元側の端部、  １１ｂａ：切り欠き部、  １１ｂｂ：係合部、  １１ｃ：短冊状部材の中間部、  １１ｄ：突起、  ２ａ：軸、  ２ｂ：先端側固定部材、  ２ｂａ：挿入穴、  ２ｃ：手元側固定部材、  ３：把持部、  Ｘ：構成部材、Ｌ、Ｌ'：リング
【図１】
2014087642.tif 000003
【図２】
2014087642.tif 000004
【図３】
2014087642.tif 000005
【図４】
2014087642.tif 000006
【図５】
2014087642.tif 000007
【図６】
2014087642.tif 000008
【図７】
2014087642.tif 000009
【図８】
2014087642.tif 000010
【図９】
2014087642.tif 000011
【図１０】
2014087642.tif 000012
【図１１】
2014087642.tif 000013
【図１２】
2014087642.tif 000014
【図１３】
2014087642.tif 000015
【図１４】
2014087642.tif 000016
【図１５】
2014087642.tif 000017
【図１６】
2014087642.tif 000018
【図１７】
2014087642.tif 000019
【図１８】
2014087642.tif 000020